【手続補正書】
【提出日】平成28年5月10日(2016.5.10)
【手続補正１】
【補正対象書類名】特許請求の範囲
【補正対象項目名】全文
【補正方法】変更
【補正の内容】
【特許請求の範囲】
【請求項１】
無線アクセスシステムにおいてチャネル状態情報参照信号（ＣＳＩ−ＲＳ）を受信するための方法であって、前記方法は、
３次元ビームフォーミングのために使用されるＣＳＩ−ＲＳ構成情報要素を受信することであって、前記ＣＳＩ−ＲＳ構成情報要素は、アンテナポートグループを示すアンテナ集合番号パラメータと、前記アンテナポートグループのそれぞれに対する前記ＣＳＩ−ＲＳの異なる送信周期を示すＣＳＩ−ＲＳサブフレーム構成パラメータとを含む、ことと、
前記ＣＳＩ−ＲＳ構成情報要素に基づいて前記アンテナポートグループのそれぞれに対する前記ＣＳＩ−ＲＳを受信することと、
前記受信されたＣＳＩ−ＲＳに基づいて前記アンテナポートグループに対するチャネル状態情報を取得することと
を含み、
前記アンテナポートグループは、前記３次元ビームフォーミングの垂直ビームフォーミングおよび水平ビームフォーミングに対してグループ化されており、
前記アンテナポートグループのそれぞれは、２つ以上のアンテナを含む、方法。
【請求項２】
前記ＣＳＩ−ＲＳ構成情報要素は、高い層信号を介して受信される、請求項１に記載の方法。
【請求項３】
前記チャネル状態情報を基地局に報告することをさらに含む、請求項１に記載の方法。
【請求項４】
無線アクセスシステムにおいてチャネル状態情報参照信号（ＣＳＩ−ＲＳ）を受信するためのユーザ機器（ＵＥ）であって、前記ＵＥは、
トランシーバと、
前記ＣＳＩ−ＲＳ受信を制御するように構成されたプロセッサと
を備え、
前記プロセッサは、前記トランシーバを用いて、
３次元ビームフォーミングのために使用されるＣＳＩ−ＲＳ構成情報要素を受信することと、
前記ＣＳＩ−ＲＳ構成情報要素に基づいてアンテナポートグループのそれぞれに対する前記ＣＳＩ−ＲＳを受信することと、
前記受信されたＣＳＩ−ＲＳに基づいて前記アンテナポートグループに対するチャネル状態情報を取得することと
を行うように構成されており、
前記ＣＳＩ−ＲＳ構成情報要素は、アンテナポートグループを示すアンテナ集合番号パラメータと、前記アンテナポートグループのそれぞれに対する前記ＣＳＩ−ＲＳの異なる送信周期を示すＣＳＩ−ＲＳサブフレーム構成パラメータとを含み、
前記アンテナポートグループは、前記３次元ビームフォーミングの垂直ビームフォーミングおよび水平ビームフォーミングに対してグループ化されており、
前記アンテナポートグループのそれぞれは、２つ以上のアンテナを含む、ユーザ機器。
【請求項５】
前記ＣＳＩ−ＲＳ構成情報要素は、高い層信号を介して受信される、請求項４に記載のユーザ機器。
【請求項６】
前記プロセッサは、前記トランシーバを用いて前記チャネル状態情報を基地局に報告するように構成されている、請求項５に記載のユーザ機器。
【請求項７】
無線アクセスシステムにおいてチャネル状態情報参照信号（ＣＳＩ−ＲＳ）を送信するための方法であって、前記方法は、
３次元ビームフォーミングのために使用されるＣＳＩ−ＲＳ構成情報要素を送信することであって、前記ＣＳＩ−ＲＳ構成情報要素は、アンテナポートグループを示すアンテナ集合番号パラメータと、前記アンテナポートグループのそれぞれに対する前記ＣＳＩ−ＲＳの異なる送信周期を示すＣＳＩ−ＲＳサブフレーム構成パラメータとを含む、ことと、
前記ＣＳＩ−ＲＳ構成情報要素に基づいて前記アンテナポートグループのそれぞれに対する前記ＣＳＩ−ＲＳを送信することと
を含み、
前記アンテナポートグループは、前記３次元ビームフォーミングの垂直ビームフォーミングおよび水平ビームフォーミングに対してグループ化されており、
前記アンテナポートグループのそれぞれは、２つ以上のアンテナを含む、方法。
【請求項８】
前記ＣＳＩ−ＲＳ構成情報要素は、高い層信号を介して受信される、請求項７に記載の方法。
【請求項９】
前記ＣＳＩ−ＲＳに基づいて取得される、前記アンテナポートグループに対するチャネル状態情報を含む報告を受信することをさらに含む、請求項７に記載の方法。
【請求項１０】
無線アクセスシステムにおいてチャネル状態情報参照信号（ＣＳＩ−ＲＳ）を送信するためのｅＮＢ（ｅｖｏｌｖｅｄ  Ｎｏｄｅ  Ｂ）であって、前記ｅＮＢは、
トランシーバと、
前記ＣＳＩ−ＲＳ送信を制御するように構成されたプロセッサと
を備え、
前記プロセッサは、
３次元ビームフォーミングのために使用されるＣＳＩ−ＲＳ構成情報要素を送信することと、
前記ＣＳＩ−ＲＳ構成情報要素に基づいてアンテナポートグループのそれぞれに対する前記ＣＳＩ−ＲＳを送信することと
を行うように構成されており、
前記ＣＳＩ−ＲＳ構成情報要素は、アンテナポートグループを示すアンテナ集合番号パラメータと、前記アンテナポートグループのそれぞれに対する前記ＣＳＩ−ＲＳの異なる送信周期を示すＣＳＩ−ＲＳサブフレーム構成パラメータとを含み、
前記アンテナポートグループは、前記３次元ビームフォーミングの垂直ビームフォーミングおよび水平ビームフォーミングに対してグループ化されており、
前記アンテナポートグループのそれぞれは、２つ以上のアンテナを含む、ｅＮＢ。
【請求項１１】
前記ＣＳＩ−ＲＳ構成情報要素は、高い層信号を介して送信される、請求項１０に記載のｅＮＢ。
【請求項１２】
前記プロセッサは、前記ＣＳＩ−ＲＳに基づいて取得される、前記アンテナポートグループに対するチャネル状態情報を含む報告を受信するように構成されている、請求項１０に記載のｅＮＢ。
【手続補正２】
【補正対象書類名】明細書
【補正対象項目名】００１７
【補正方法】変更
【補正の内容】
【００１７】
また、端末は、測定した上記チャネル状態情報を基地局に報告することができる。このとき、チャネル状態情報は、物理上りリンク制御チャネル（ＰＵＣＣＨ）又は物理上りリンク共有チャネル（ＰＵＳＣＨ）を介して送信することができる。
本願明細書は、例えば、以下の項目も提供する。
（項目１）
無線接続システムにおいてチャネル状態情報参照信号（ＣＳＩ−ＲＳ）を受信する方法であって、
２つ以上のアンテナポートに対するＣＳＩ−ＲＳの送信周期を異なるように設定するためのＣＳＩ−ＲＳ構成情報要素を受信するステップと、
前記ＣＳＩ−ＲＳ構成情報要素に基づいて前記２つ以上のアンテナポートのそれぞれに対するＣＳＩ−ＲＳを受信するステップと、
受信した前記ＣＳＩ−ＲＳに基づいて前記２つ以上のアンテナポート別にチャネル状態情報を取得するステップと、
を含む、ＣＳＩ−ＲＳ受信方法。
（項目２）
前記ＣＳＩ−ＲＳ構成情報要素は、前記２つ以上のアンテナポートに対するそれぞれの前記送信周期を示す２つ以上のサブフレーム構成パラメータを含む、項目１に記載のＣＳＩ−ＲＳ受信方法。
（項目３）
前記チャネル状態情報を基地局に報告するステップをさらに含む、項目１に記載のＣＳＩ−ＲＳ受信方法。
（項目４）
無線接続システムにおいてチャネル状態情報参照信号（ＣＳＩ−ＲＳ）を受信する方法であって、
２つ以上のアンテナポートセットに対するＣＳＩ−ＲＳの送信周期を異なるように設定するためのＣＳＩ−ＲＳ構成情報要素を受信するステップと、
前記ＣＳＩ−ＲＳ構成情報要素に基づいて前記２つ以上のアンテナポートセットのそれぞれに対するＣＳＩ−ＲＳを受信するステップと、
受信した前記ＣＳＩ−ＲＳに基づいて前記２つ以上のアンテナポートセット別にチャネル状態情報を取得するステップと、
を含むＣＳＩ−ＲＳ受信方法。
（項目５）
前記ＣＳＩ−ＲＳ構成情報要素は、前記２つ以上のアンテナポートセットに対するそれぞれの前記送信周期を示す２つ以上のサブフレーム構成パラメータを含む、項目４に記載のＣＳＩ−ＲＳ受信方法。
（項目６）
前記１つ以上のアンテナポートセットはそれぞれ、１つ以上のアンテナポートを含む、項目５に記載のＣＳＩ−ＲＳ受信方法。
（項目７）
前記チャネル状態情報を基地局に報告するステップをさらに含む、項目４に記載のＣＳＩ−ＲＳ受信方法。
（項目８）
無線接続システムにおいてチャネル状態情報参照信号（ＣＳＩ−ＲＳ）を受信するための端末であって、
トランシーバと、
前記ＣＳＩ−ＲＳ受信を制御するためのプロセッサと、
を備え、
前記プロセッサは、前記トランシーバを用いて、
２つ以上のアンテナポートに対するＣＳＩ−ＲＳの送信周期を異なるように設定するためのＣＳＩ−ＲＳ構成情報要素を受信し、
前記ＣＳＩ−ＲＳ構成情報要素に基づいて前記２つ以上のアンテナポートのそれぞれに対するＣＳＩ−ＲＳを受信し、
前記受信した前記ＣＳＩ−ＲＳに基づいて前記２つ以上のアンテナポート別にチャネル状態情報を取得するように構成される、端末。
（項目９）
前記ＣＳＩ−ＲＳ構成情報要素は、前記２つ以上のアンテナポートに対するそれぞれの前記送信周期を示す２つ以上のサブフレーム構成パラメータを含む、項目８に記載の端末。
（項目１０）
前記プロセッサは、前記トランシーバを用いて前記チャネル状態情報を基地局に報告するように構成される、項目８に記載の端末。
（項目１１）
無線接続システムにおいてチャネル状態情報参照信号（ＣＳＩ−ＲＳ）を受信するための端末であって、
トランシーバと、
前記ＣＳＩ−ＲＳ受信を制御するためのプロセッサと、
を備え、
前記プロセッサは、前記トランシーバを用いて、
２つ以上のアンテナポートセットに対するＣＳＩ−ＲＳの送信周期を異なるように設定するためのＣＳＩ−ＲＳ構成情報要素を受信し、
前記ＣＳＩ−ＲＳ構成情報要素に基づいて前記２つ以上のアンテナポートセットのそれぞれに対するＣＳＩ−ＲＳを受信し、
前記プロセッサは、受信した前記ＣＳＩ−ＲＳに基づいて前記２つ以上のアンテナポートセット別にチャネル状態情報を取得するように構成される、端末。
（項目１２）
前記ＣＳＩ−ＲＳ構成情報要素は、前記２つ以上のアンテナポートセットに対するそれぞれの前記送信周期を示す２つ以上のサブフレーム構成パラメータを含む、項目１１に記載の端末。
（項目１３）
前記１つ以上のアンテナポートセットはそれぞれ、１つ以上のアンテナポートを備える、項目１２に記載の端末。
（項目１４）
前記プロセッサは、前記トランシーバを用いて、前記チャネル状態情報を基地局に報告するように構成される、項目１１に記載の端末。